(57)【要約】【課題】従来、ビデオカメラ等の撮像装置にはビューファインダーが備えられており、撮影者はビューファインダーを掴むことが多かった。しかし、撮影者が掴む外力によって、ビューファインダーの先端に取り付けられたアイカップが変形してしまったり、取れてしまったりするという問題があった。そこで、外観の見栄えも良く部品点数も増やさずに、アイカップが容易に外れない構造で、更に静電気に対する信頼性も向上させられるビューファインダーを提供する必要があった。【解決手段】上カバーと下カバーで内部の光学部品を覆い、上下カバーを固定ねじで固定した後にアイカップを被せる構造で、上下カバーのどちらかに固定ねじを固定するためのドライバー用の溝を設け、その溝と勘合するような突出形状を、アイカップ側で形成することで、アイカップの引っ張り防止形状をアイカップの内面に設けている。【選択図】図３
2016053658.tif 000002
【特許請求の範囲】
【請求項１】
光学部品や画像表示部が組みこまれ、撮像装置本体に取り付けられる筺体と、前記筺体の外側に取り付けられるアイカップとを備えた撮像装置のビューファインダーにおいて、前記筺体は上下方向に２分される上カバーと下カバーから成り、前記上下カバーのどちらか一方に固定ねじを固定するボスが設けられ、前記上下カバーのどちらかもう一方に固定ねじを通す穴とドライバーを通す溝が設けられており、前記アイカップには内面に突出形状が形成され、前記ドライバーを通す溝と、前記アイカップの突出形状とが勘合することを特徴とする撮像装置のビューファインダー。
【請求項２】
前記勘合部は前記ビューファインダーの側面方向に設けられていることを特徴とする請求項１に記載の撮像装置のビューファインダー。
【請求項３】
前記勘合部とは異なる面に、カバー側に溝が設けられ、前記溝と勘合する突出形状がアイカップ内面に形成されており、前記勘合部がアイカップの位置決めとなることを特徴とする請求項１に記載の撮像装置のビューファインダー。
【発明の詳細な説明】
【技術分野】
【０００１】
本発明は、アイカップを有するビューファインダー装置に関する。
【背景技術】
【０００２】
従来、ビデオカメラ等には、撮影者が被写体を確認するために覗くビューファインダーが設けられており、ビューファインダーは一般的に、被写体像を表示するための表示パネルや光学系、表示パネルに映像信号を流すための回路基板、それらを保持するためのホルダー、ホルダーを覆うような外観部とアイカップとで構成されている。アイカップは、撮影者がビューファインダーを覗く際に目の位置を表示パネルに対して固定させるために、目を押し当てて使用するものであり、一般的にゴムやエラストマー等の硬度の低い弾性部材から成り、目の形に合うような形状をしている。
【０００３】
ビューファインダーは、一般的にはビデオカメラ本体とフレキシブル回路基板によって電気的に接続されており、構造的には、機器によってはヒンジ機構によってビデオカメラ本体に対して回動又は摺動可能に支持されている。このような場合、撮影者は撮影状況に応じてビューファインダーをビデオカメラ本体の上方に回転させたり後方にスライドさせたりして、覗きやすい位置に移動させて使用している。撮影者がビューファインダーの姿勢を変える場合は、ビューファインダーの後方に配置されているアイカップが掴み易いことから、アイカップを直接掴んで引っ張られることが従来多かった。また、アイカップは弾性部材でできていることから引っ張られると変形しやすく、外観部から取れてしまったり、変形したまま使用して目の形に合わない形状になってしまったり、という問題もあった。
【０００４】
そこで、硬度の高いアイカップ取付用部材の外観側にアイカップを取り付け、アイカップ取付用部材の凸部がアイカップに設けられた穴から外側に突出させることで、アイカップの変形を防止しているものがある（特許文献１参照）。
【０００５】
図６を参照して、特許文献１の構成を説明する。図６はビューファインダーの要部分解斜視図であり、４０は上ケース、４２は下ケース、３６はアイカップ取付用部材、３８はアイカップである。アイカップ３８をアイカップ取付用部材３６の外側に被せ、アイカップ３８の凹部３８０２をアイカップ取付用部材３６の凹部３６０２に嵌めこむ。この状態で、アイカップ取付用部材３６の左右の面の凸部３６０８がアイカップ３８の左右の面の穴部３８０８からアイカップ３８よりも外側に突出し、アイカップ３８とアイカップ取付用部材３６が一体となる。
【０００６】
上ケース４０と下ケース４２は、光学ブロック３２を間に挟んで合わさり、上ケース４０の後端の鍔部４００６と、下ケース４２の後端の鍔部４２０６をアイカップ３８の凹部３８０２に嵌めこみ、ねじで固定する。これによると、硬度の高い上下ケース４０、４２やアイカップ取付部材３６によって、アイカップ３８が嵌めこまれて位置決めされているため、アイカップ３８は外れにくく、また変形を防止することもできる。また、アイカップ取付部材３６の凸部３６０８が外観に突出しているため、撮影者はビューファインダーの位置を変更する際に、硬度の高い凸部３６０８を触った状態で移動させるようになるため、アイカップ３８のみを直接掴んで引っ張ることがなくなり、アイカップ３８の変形を抑えられるようになる。
【先行技術文献】
【特許文献】
【０００７】
【特許文献１】特開平１１−２５８６５８号公報
【発明の概要】
【発明が解決しようとする課題】
【０００８】
しかしながら、上記従来例では外観にアイカップ取付部材の一部が突出していることから見栄えが良くなく、またアイカップ取付部材という部品が必要になるため、部品点数が増大してしまうという問題があった。また、全てを一体化した後にねじで固定するため、ねじが外観側に出てしまい、静電気などがビューファインダーの近くで発生した際には、ねじを伝ってビューファインダーの内部に静電気が流入してしまう恐れがあった。静電気が内部の回路基板や表示パネルに印加してしまうと、ショートを引き起こし、画像が乱れたり、電気部品を破壊してしまうことになりかねない。
【０００９】
そこで、本出願に係る第１の発明の目的は、見栄えがよく部品点数も増やさずに、アイカップが容易に外れない静電気に対する信頼性の高いビューファインダーを提供することにある。
【００１０】
また、本出願に係る第２の発明の目的は、撮影者がアイカップを引っ張ることによるアイカップの抜けやズレ防止を実現することにある。
【００１１】
また、本出願に係る第３の発明の目的は、アイカップの変形に対しても強いビューファインダーを提供することにある。
【課題を解決するための手段】
【００１２】
本発明の撮像装置のビューファインダーは、光学部品や画像表示部が組みこまれ、撮像装置本体に取り付けられる中空状のカバーと、前記カバーの外側に取り付けられるアイカップとを備えた撮像装置のビューファインダーにおいて、前記カバーは上下方向に２分される上カバーと下カバーから成り、前記上下カバーのどちらか一方に固定ねじを固定するボスが設けられ、前記上下カバーのどちらかもう一方に固定ねじを通す穴とドライバーを通す溝が設けられており、前記アイカップには内面に突出形状が形成され、前記ドライバーを通す溝と、前記アイカップの突出形状とが勘合することを特徴とする。
【００１３】
また、本発明のその他の特徴とするところは、前記勘合部は前記ビューファインダーの側面方向に設けられていることである。
【００１４】
また、本発明のその他の特徴とするところは、前記勘合部とは異なる面に、カバー側に溝が設けられ、前記溝と勘合する突出形状がアイカップ内面に形成されており、前記勘合部がアイカップの位置決めとなることである。
【発明の効果】
【００１５】
本発明に係る第１の発明によれば、アイカップの内面に設けられた突出形状とそれに勘合するカバー側の溝とによって、アイカップの引っ張り防止が実現できると共に、外観の見栄えもよく部品点数を増やすこともない。また、突出形状によって固定ねじまでの沿面距離を稼いでいるため、外部の静電気に対する信頼性も向上させることができる。
【００１６】
また、本出願に係る第２の発明によれば、撮影者が手で掴み易いビューファインダーの側面に勘合部が設けられているため、アイカップの引っ張り防止に効果的である。
【００１７】
また、本出願に係る第３の発明によれば、位置決めリブが設けられているため、引っ張り防止リブが変形したとしてもアイカップが上下カバーから外れることは無く、見栄えも良いビューファインダーを提供することができる。
【図面の簡単な説明】
【００１８】
【図１】本発明の実施の形態のビデオカメラの、背面から見た斜視図。
【図２】本発明の実施の形態のビューファインダーの分解斜視図。
【図３】本発明の実施の形態のアイカップの斜視図。
【図４】本発明の実施の形態のビューファインダーの構造図。
【図５】本発明の実施の形態のビューファインダーの要部拡大図。
【図６】従来構造を示す図。
【発明を実施するための形態】
【００１９】
以下に、本発明の実施の形態を好適な実施例に基づき、図面を用いて詳細に説明する。
図１に、本発明に係る実施の形態のビデオカメラを背面から見た斜視図を示す。図１において、１はビデオカメラ本体、２は後述するヒンジ機構２４によってビデオカメラ本体１に対して上下方向に回動可能に支持されたビューファインダー、３は撮影画像や設定を確認するための表示パネル、４はビデオカメラ本体１を支えるために把持するグリップ部である。撮影者は、ビューファインダー２の後端側面を掴み上下に移動させることで、ビューファインダー２の回転角度を変化させる。
【００２０】
図２は、ビューファインダー２の分解斜視図を示し、２０はアイカップ、２１は上ケース、２２は下ケース、２３は光学部品や表示パネル、回路基板等を組み込んだ光学ユニット、２４はビデオカメラ本体１に固定されてビューファインダー２を回動可能に支持するヒンジ機構、２５は光学ユニット２３を間に収納して上ケース２１と下ケース２２を固定するための固定ねじである。アイカップ２０は弾性部材から成り、下カバー２２にヒンジ機構２４を固定し、光学ユニット２３を収納して上ケース２１と下ケース２２を固定ねじ２５によって固定した後に、図２の矢印Ａ方向にアイカップ２０を上下ケース２１、２２に被せることで、ビューファインダー２は組み込みが完成する。上下ケース２１、２２は、例えばＰＣやＡＢＳなどの硬い材質でできている。
【００２１】
図３は、アイカップ２０を取り付け側から見た斜視図を示しており、アイカップ２０内面の左右側面には、内部に突出した上下に長い棒状の引っ張り防止リブ２０１、２０２（引っ張り防止リブ２０２は不図示）が、上面には下方向に突出した左右に長い位置決めリブ２０３が、下面には貫通穴２０４が形成されている。
【００２２】
図４はビューファインダー２を示し、図４（ａ）はビデオカメラ本体１の撮影者側から見た正面図、図４（ｂ）は図４（ａ）のＢ−Ｂ断面図、図４（ｃ）は図４（ａ）のＣ−Ｃ断面図である。図４（ｂ）に示すように、上カバー２１の、アイカップ２０が被る範囲のアイカップ２０先端近傍に形成された溝２１３に、アイカップ２０の位置決めリブ２０３が勘合し、アイカップ２０の光軸方向の位置決めを行うと共に、アイカップ２０の上面が矢印Ｄ方向にめくれることを防止している。また、アイカップ２０を上下カバー２１、２２に被せる際に、位置決めリブ２０３が溝２１３に嵌ることで、アイカップ２０が上下カバー２１、２２にほぼ密着状態になる。また下カバー２２の、アイカップ２０が被る範囲に位置する突出形状２２４とアイカップ２０の貫通穴２０４が勘合し、アイカップ２０が矢印Ｅ方向に外れるのを防止している。
【００２３】
突出形状２２４は、下カバー２２の外観から内部へと貫通する穴２２０の周囲をリブで囲んだ形状をしており、突出形状２２４に囲まれるように、視度調ノブ２６が外観側に突出するように配設されている。視度調ノブ２６は、光学ユニット２３と連結しており、撮影者が外観側に突出した視度調ノブ２６をスライド操作すると、光学ユニット２３の光学部品が連動して動き、撮影者は自分の目に合わせて視度の調整を行う。
【００２４】
また、図４（ｃ）に示すように、上カバー２１と下カバー２２を固定する固定ねじの配置スペースは、固定ねじ２５を回すドライバーを差し込むスペースが必要であり、そのために溝形状２１１、２１２が形成されている。溝形状２１１、２１２の一部には、アイカップ２０の引っ張り防止リブ２０１、２０２が嵌めこまれており、アイカップ２０が矢印Ｆ方向に引っ張られても引っ張り防止リブ２０１、２０２が溝２１１、２１２内で突っ張ってアイカップ２０が外れないような構成となっている。
【００２５】
このように、アイカップ２０の内面に設けられたリブと上下カバー２１、２２に設けられた溝とが勘合することによって、アイカップ２０は上下カバー２１、２２とほぼ密着するため、ビューファインダー２を回動させるためにアイカップ２０を掴んだり引っ張ったりしても容易に外れることはない。また、上下カバー２１、２２の固定ねじ２５はアイカップ２０によって外観から見えなくなり、また上下カバー２１、２２とアイカップ２０の勘合部分はアイカップ２０の内面に設けられているため、見栄えが良い。構成としては、アイカップ２０と上下カバー２１、２２によって構成できるため、部品点数が増大することなく実現できる。
【００２６】
また、上下カバー２１、２２を固定するための固定ねじ２５を固定するスペースに、引っ張り防止リブ２０１、２０２を配置したことで、新たに勘合リブを設けるスペースを取る必要がなく、省スペースである。また、位置決めリブ２０３を左右側面の引っ張り防止リブ２０１、２０２から離れた位置でアイカップ２０の先端近傍に配置したことで、引っ張り防止リブ２０１、２０２が外力によって変形したとしても、位置決めリブ２０３が引っ張り防止にもなるため、アイカップ２０は更に抜けにくくなる。
【００２７】
図５は、図４（ｃ）の一部を拡大した図である。図５において、点線Ｇは静電気の経路を示す。ビューファインダー２の近くで静電気が発生した場合、アイカップ２０と上カバー２１の隙間から侵入する恐れがある。しかしながら、アイカップ２０は上カバー２１とほぼ密着しており、更に引っ張り防止リブ２０１によって静電気Ｇの沿面距離を長くしているため、静電気Ｇはねじ２５に到達しにくくなっている。これにより、静電気がビューファインダー２内部に侵入することを防ぎ、内部の電気部品の破壊や誤動作を防止している。引っ張り防止リブ２０２も同様の構成のため、説明は省略する。
【００２８】
このように、引っ張り防止リブ２０１、２０２は、アイカップ２０の外れを防止すると共に、静電気を内部に侵入させにくくしている。
【００２９】
以上説明したように、本発明の実施の形態に係るビデオカメラでは、省スペースながらアイカップを上下カバーに固定でき、外れにくい構造を実現できる。また、外観から勘合部が見えないため見栄えが良く、部品点数も少なく構成することが可能となる。また、静電気の侵入も防ぐことができる。
【００３０】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、本実施形態では、上カバーに位置決めリブ用の溝や引っ張り防止リブ用の溝を形成しているが、これを下カバーに形成してもよい。また、上述の実施形態の一部を適宜組み合わせてもよい。
【符号の説明】
【００３１】
１  ビデオカメラ本体、２  ビューファインダー、３  表示部、４  グリップ部、
２０  アイカップ、２１  上カバー、２２  下カバー、２３  光学ユニット、
２４  ヒンジ機構、２５  固定ねじ
【図１】
2016053658.tif 000003
【図２】
2016053658.tif 000004
【図３】
2016053658.tif 000005
【図４】
2016053658.tif 000006
【図５】
2016053658.tif 000007
【図６】
2016053658.tif 000008